(57)【要約】【課題】  離れた位置からの動作状態の確認を容易にする。【解決手段】  表示部上に表示される動作状態表示を拡表示とすることで、離れた位置からの視認性を向上させ確認を容易にする。【選択図】  図４
2007074537.tif 000002
【特許請求の範囲】
【請求項１】
撮影画像を確認するための撮影画像表示手段と、動作状態を確認するための動作状態表示手段を同一の表示手段上に備え、希望する動作状態表示を複数の選択項目の中から選択することにより動作状態表示の形態を切替えて、離れた位置からの視認性を向上させることを特徴とするビデオカメラ装置。
【請求項２】
既表示形態の切替えは、撮影画像表示を停止し表示手段一杯に拡大表示することを特徴とする請求項１記載のビデオカメラ装置。
【請求項３】
既複数の選択項目のうちの一つは、電池残量表示であることを特徴とする請求項１記載のビデオカメラ装置。
【請求項４】
既複数の選択項目のうちの一つは、テープ残量表示であることを特徴とする請求項１記載のビデオカメラ装置。
【請求項５】
既複数の選択項目のうちの一つは、記録中表示であることを特徴とする請求項１記載のビデオカメラ装置。
【請求項６】
既複数の選択項目のうちの一つは、タイムコード表示であることを特徴とする請求項１記載のビデオカメラ装置。
【請求項７】
既複数の選択項目は時分割で切替え表示可能なことを特徴とする請求項１記載のビデオカメラ装置。
【請求項８】
既時分割間隔が任意に選択可能なことを特徴とする請求項７記載のビデオカメラ装置。
【発明の詳細な説明】
【技術分野】
【０００１】
本発明は画像モニター用液晶パネル上に状態表示機能を備えたビデオカメラ装置に関するものである。
【背景技術】
【０００２】
従来のビデオカメラ装置では、画像モニター用液晶パネル上に動作状態を表示する表示部を備えることで、新たな部品追加などをせずに表示機能を実現する提案がなされている。
【０００３】
（例えば特許文献１参照）
以下従来の改善手法（特開２００４−２３６２３号公報）について、本改善提案の説明に必要な部分のみを抜粋して説明する。尚、この従来事例として挙げた提案はオーディオレベルメータに関するものであるが、本提案の主旨はこの表示に限らず表示全般に関連するものである。
【０００４】
図１、図２は画像モニタ用液晶パネル上に音声レベル表示をレイアウトした従来の手法を示した図である。先行事例ではオーディオ記録モードが自動的に記録レベルを設定するオートモードと、撮影者自らが手動で調整するマニュアルモードで液晶パネル上の音声レベル表示を切り換えている。
【０００５】
マニュアルモードの時は図１に示すように音声レベル表示を見やすくはっきりと表示し、オートモードの時は図２のように背部の表示画像すなわち撮影中の映像表示を妨げないように音声表示レベルを半透明となるような表現形態で表示することで、自動でレベル設定する場合と手動でレベル設定する場合とで、ユーザーの使用形態にあわせた最適な音声レベル表示を提供している。
【特許文献１】特開２００４−２３６２３号公報（第９頁、図７）
【発明の開示】
【発明が解決しようとする課題】
【０００６】
しかしながら、前記事例には以下の不具合がある。
【０００７】
被写体又は撮影者がビデオカメラ装置から離れた位置でその表示を確認する場合、表示の形態は変えてはいるが、基本的に撮影画像の確認を妨げない位置にレイアウトされているため、表示自体が非常に小さく少しの距離でも視認性が落ちて確認できないという不具合があった。
【課題を解決するための手段】
【０００８】
上記目的を達成するため本出願に係る第一の発明は、主目的が撮影画像をモニタする画像表示装置上に、通常画像確認を妨げない位置にレイアウトされる動作状態表示部を使用者の選択状態により表示手法を切替え、拡大表示として離れた位置からの視認性を向上させることを特徴とする。
【発明の効果】
【０００９】
以上説明したように、撮影者或いは被写体が離れた位置から動作状態確認を希望する場合、表示手段を動作状態の表示として特化し、拡大して表示されるため離れていても視認性が向上し容易に動作状態の確認が可能となる。
【発明を実施するための最良の形態】
【００１０】
（実施例１）
図３、図４、図５、図６は本発明の特徴をもっとも良く表す図画である。
【００１１】
図３は本発明を適用するビデオカメラ装置全体のブロック図を示したものであり、図３において１は光学画像を取り込むところのレンズ部、２は光学画像を電気信号に変換するところのＣＣＤ部、３はＣＣＤ部からの電気信号を処理するところのカメラ信号処理部、４は電源を供給するところのバッテリ部、５は音を集音するところのマイク部、６は音声信号を処理するところのオーディオ信号処理部、７はビデオ信号を処理するところのビデオ信号処理部、８はビデオカメラ装置全体の制御を行うところのシステムコントロール部、９はバッテリ部４からの電圧を各ブロックの動作電圧に変換し供給するところの電源部、１０は記録再生処理を行うところの記録再生処理部、１１は表示データを処理するところの表示信号処理部、１２は記録媒体にデータを記録或いは記録媒体からデータを再生するところのメカ、１３は表示信号処理部からのデータを表示する表示部である。
【００１２】
次に図４、図５、図６は図３中に適用させた本発明を示す図である。
【００１３】
以下図４、図５、図６について説明する。
【００１４】
図４において１は光学信号を取り込むところのレンズ部、２は光学信号を電気信号に変換するところのＣＣＤ部、３はＣＣＤ部２からの信号を処理するところのカメラ信号処理部、４は電源を供給するところのバッテリ部、５は音声を集音するところのマイク部、６は音声信号を処理するところのオーディオ信号処理部、７は画像信号を処理するところのビデオ信号処理部、７はビデオカメラ全体の制御をするところのシステムコントロール部、９はバッテリ部４から供給される電源を各ブロックの動作電圧に合う値に変換して供給するところの電源部、１０は記録再生処理を行うところの記録再生処理部、１１は表示部１３への表示信号を処理するところの表示信号処理部、１２は記録媒体にデータを記録或いは記録媒体からデータを再生するところのメカ、１３は画像をモニタする表示部、１４は動作状態表示の切替えを入力するところの拡大動作状態表示モード切り換え入力部である。
【００１５】
又図５は拡大動作状態表示モード切替えの選択画面を示したものである。
【００１６】
又図６は通常表示モードに対して拡大動作状態表示モードに移行した場合の具体的例を示すものである。
【００１７】
以下本提案について図４、図５、図６に添って説明する。
【００１８】
通常状態では表示部上の表示は図６中の通常表示モードとなっており、撮影画像モニタと共にモニタ確認の邪魔にならない位置に各種動作状態を小さく表示している。
【００１９】
このとき図４中の拡大動作状態表示切替入力部１４を操作して図５に示した拡大表示選択画面を呼び出すと、選択位置はＯＦＦになっている。
【００２０】
ビデオカメラの使用者が表示部での画像モニタが出来ないような離れた位置から動作状態の確認をしたい場合、図４中の拡大動作状態表示モード切替え入力部１４から、図５に示す拡大表示選択画面を呼び出し、ＯＦＦから表示を希望する項目に選択状態を切替える。
【００２１】
図５に示したようにテープ残量が選択され、拡大表示選択画面を閉じると、図４中のシステムコントロール部８で拡大動作状態表示モード切替え入力部１４からの設定を認識して、表示信号処理部１１にテープ残量表示情報のみを拡大して送るようビデオ信号処理部７を制御する。表示信号処理部１１を経由し表示部１３上には図６中に示す拡大表示モード１が表示される。
【００２２】
同様に図４中の状態表示モード切替え入力部１４を操作することにより図６中記載の拡大表示モード２（サブコード）、拡大表示モード３電池残量、拡大表示モード４録画中等の複数の動作状態を拡大して表示し、離れた位置からでもビデオカメラの動作状態をモニタすることが可能となる。
【００２３】
（実施例２）
図７は本提案に係る第ニに実施例を説明する図である。
【００２４】
実施例１中では選択した動作状態表示１項目のみを表示形態であったが、本実施例では複数の項目を選択し、時分割で表示を切替えることで確認できる動作状態を複数にした提案である。
【００２５】
図４中の拡大動作状態表示モード切替え入力部１４で図８に示した拡大動作状態表示モードの項目選択画面を呼び出し、その中で表示させたい項目を選択して行く。選択された項目はＯＮ表示となる。設定終了後、この画面を図４中の拡大動作状態表示モード切替え入力部１４で閉じると、テープ残量、タイムコード、電池残量、録画中の各拡大動作状態表示の項目が時分割で繰り返し表示され、離れた位置からでもビデオカメラの複数の項目についての動作状態をモニタすることが可能となる。
【図面の簡単な説明】
【００２６】
【図１】本発明を適用する以前の従来事例の手動調整時のパネル表示を示す図である。
【図２】本発明を適用する以前の従来事例の自動調整時のパネル表示を示す図である。
【図３】本発明を適用するビデオカメラ装置全体の構成を示す図である。
【図４】本発明の第一の実施例に係る構成を示す図である。
【図５】本発明の第一の実施例に係る拡大表示選択時の表示を示す図である。
【図６】本発明の第一の実施例に係る拡大動作表示の例を示した図である。
【図７】本発明の第ニの実施例に係る拡大動作表示の例を示した図である。
【図８】本発明の第ニの実施例に係る拡大動作表示選択時の表示を示した図である。
【符号の説明】
【００２７】
１  レンズ部
２  ＣＣＤ部
３  カメラ信号処理部
４  バッテリ部
５  マイク部オーディオ信号処理部
６  オーディオ信号処理部
７  ビデオ信号処理部
８  システムコントロール部
９  電源部
１０記録再生処理部
１１表示信号処理部
１２メカ
１３表示部
１４拡大動作状態表示モード切替え入力部
【図１】
2007074537.tif 000003
【図２】
2007074537.tif 000004
【図３】
2007074537.tif 000005
【図４】
2007074537.tif 000006
【図５】
2007074537.tif 000007
【図６】
2007074537.tif 000008
【図７】
2007074537.tif 000009
【図８】
2007074537.tif 000010